(57)【要約】      （修正有）【課題】タッチパネル操作において、誤入力を行ってしまったときに素早く簡単に所望の入力へと訂正することが可能な装置を提供する。【解決手段】位置入力手段を備える表示装置１００において、位置の入力を取り消すキーからスライド操作が行われると、前記位置の入力を取り消し、前記位置の周囲かつ前記スライドの方向にある位置の入力を行うことで、取り消しと再入力を一度の操作で行う。【選択図】図２
2012243229.tif 000002
【特許請求の範囲】
【請求項１】
位置入力手段を備える表示装置において、位置の入力を取り消し、前記位置の周囲の位置の入力を行う入力訂正手段を備えたことを特徴とする表示装置。
【請求項２】
前記入力訂正手段は、位置の入力を取り消すキーからスライド操作が行われると、前記位置の入力を取り消し、前記位置の周囲かつ前記スライドの方向にある位置の入力を行うことを特徴とする、請求項１に記載の表示装置。
【請求項３】
前記入力訂正手段は、位置の入力の後に連続して前記位置からスライド操作が行われると、前記位置の入力を取り消し、前記位置の周囲かつ前記スライドの方向にある位置の入力を行うことを特徴とする、請求項１に記載の表示装置。
【請求項４】
前記入力訂正手段は、位置の入力の後かつ、前記位置の入力の結果の表示場所の直後にカーソルがあるときに、前記位置からスライド操作が行われると、前記位置の入力を取り消し、前記位置の周囲かつ前記スライドの方向にある位置の入力を行うことを特徴とする、請求項１に記載の表示装置。
【請求項５】
前記入力訂正手段は、位置の入力の結果の表示場所からスライド操作が行われると、前記位置の入力を取り消し、前記位置の周囲かつ前記スライドの方向にある位置の入力を行うことを特徴とする、請求項１に記載の表示装置。
【請求項６】
前記入力訂正手段は、表示装置が特定の方向に傾けられると、前記位置の入力を取り消し、前記位置の周囲かつ前記特定の方向にある位置の入力を行うことを特徴とする、請求項１に記載の表示装置。
【請求項７】
位置入力ステップを含む表示方法において、位置の入力を取り消し、前記位置の周囲の位置の入力を行う入力訂正ステップを含むことを特徴とする表示方法。
【発明の詳細な説明】
【技術分野】
【０００１】
本発明は、位置の座標等の入力を訂正する表示装置および表示方法に関する。
【背景技術】
【０００２】
タッチパネルを備えたスマートフォンなどのように、比較的小型の画面を指などでタッチして操作を行う製品が知られている。このような小型端末においては表示および操作のための領域が限られているため、一つ一つのボタン表示を小さくし、さらにその間隔を狭くせざるを得ない。そのため、あるボタンを押す際に、そのボタンに隣接するボタンを誤って押してしまうことがある。この場合、誤りを訂正するためには、誤った入力によって生じた結果を元に戻し、そのうえで再度正しいボタンを押し直すという二種類の操作が必要であった。
【０００３】
例えば、従来技術によるソフトウェアキーボードによる入力では、誤って隣接する文字を入力してしまった場合、一度削除キーを押して当該文字を削除したうえで正しい文字を入力し直す必要があった。
【０００４】
また、例えばスマートフォンのウェブブラウザでウェブ閲覧を行う場合においても、誤って目的のリンクに隣接するリンクを選択してしまったときは、一度戻るボタンを押した後に再度正しいリンクを押す必要があった。
【０００５】
このような誤入力を防止する方法として、特許文献１のように、タッチパネルへのタッチ入力がオンになるとその周辺部分を拡大表示し、タッチがオフになったときのタッチ位置によって入力を行うようにすることで、タッチ位置がずれた場合でも指などを押したままずらすことにより正確な入力を行えるようにするものが考えられている。
【先行技術文献】
【特許文献】
【０００６】
【特許文献１】特許第２６２３７８７号公報
【発明の概要】
【発明が解決しようとする課題】
【０００７】
しかしながら、特許文献１に記載の装置では、一回の入力ごとにタッチオン、位置確認、タッチオフという操作が必要であるため、素早く入力を行いたい場合には不向きである。また、仮に誤った入力を行ってしまった場合には、削除および再入力という二つの操作を行う必要があった。
【０００８】
そこで本発明は、タッチ操作等における誤入力の問題に対処するべく、誤入力を未然に防ごうとするのではなく、誤入力を行ってしまったときに素早く簡単に所望の入力へと訂正することが可能な装置を提供することを目的とする。
【課題を解決するための手段】
【０００９】
上記課題を解決するために、本発明にかかる第１の表示装置は、位置入力手段を備える表示装置において、位置の入力を取り消し、前記位置の周囲の位置の入力を行う入力訂正手段、を備えたことを特徴としている。
【００１０】
これにより、周辺のキー等による誤入力を素早く容易に訂正することが可能となる。
【００１１】
本発明にかかる第２の表示装置は、第１の発明の構成に加え、前記入力訂正手段は、位置の入力を取り消すキーからスライド操作が行われると、前記位置の入力を取り消し、前記位置の周囲かつ前記スライドの方向にある位置の入力を行うことを特徴としている。
【００１２】
これにより、訂正したいキーがある方向へとスライドさせるという直感的な方法で訂正を行うことができる。
【００１３】
本発明にかかる第３の表示装置は、第１の発明の構成に加え、前記入力訂正手段は、位置の入力の後に連続して前記位置からスライド操作が行われると、前記位置の入力を取り消し、前記位置の周囲かつ前記スライドの方向にある位置の入力を行うことを特徴としている。
【００１４】
これにより、指などの操作体を、取り消すキーまで移動させることが不要になり、さらに素早い訂正を可能となる。
【００１５】
本発明にかかる第４の表示装置は、第１の発明の構成に加え、前記入力訂正手段は、位置の入力の後かつ、前記位置の入力の結果の表示場所の直後にカーソルがあるときに、前記位置からスライド操作が行われると、前記位置の入力を取り消し、前記位置の周囲かつ前記スライドの方向にある位置の入力を行うことを特徴としている。
【００１６】
これにより、入力直後ではないときでも、訂正したい文字までカーソルを移動させれば、スライドによる訂正が可能となる。
【００１７】
本発明にかかる第５の表示装置は、第１の発明の構成に加え、前記入力訂正手段は、位置の入力の結果の表示場所からスライド操作が行われると、前記位置の入力を取り消し、前記位置の周囲かつ前記スライドの方向にある位置の入力を行うことを特徴としている。
【００１８】
これにより、訂正したい入力の結果の表示場所からスライドを行うことで、一度の操作で入力を訂正することを可能とする。
【００１９】
本発明にかかる第６の表示装置は、第１の発明の構成に加え、前記入力訂正手段は、表示装置が特定の方向に傾けられると、前記位置の入力を取り消し、前記位置の周囲かつ前記特定の方向にある位置の入力を行うことを特徴としている。
【００２０】
これにより、大きな動きによる直感的な訂正を行うことができる。
【００２１】
本発明にかかる第７の表示方法は、位置入力ステップを含む表示方法において、位置の入力を取り消し、前記位置の周囲の位置の入力を行う入力訂正ステップを含むことを特徴としている。
【００２２】
これにより、周辺のキー等による誤入力を素早く容易に訂正することが可能となる。
【００２３】
なお、本発明において、「押さえる」とは、接触状態をほぼ同じ位置で例えば０．５秒程度以上維持することをいい、接触状態を例えば０．５秒程度未満で解除することを表す「押す」とは区別される。
【００２４】
また、本発明において「スライド（する）」とは、指などの操作体をタッチパネルに接触させたまま別の場所に移動し、その後に離すという一連の行為をいうものとする。
【発明の効果】
【００２５】
本発明によれば、誤った入力を行ってしまったときに素早く簡単に所望の入力へと訂正することが可能な表示装置を提供することができる。
【図面の簡単な説明】
【００２６】
【図１】本発明の実施例１から３に記載の表示装置の機能ブロック図
【図２】本発明の実施例１に記載の表示装置の概略図
【図３】本発明の実施例１−１に記載の表示装置における入力訂正の説明図
【図４】本発明の実施例１−１および２−１に記載の表示装置における入力訂正の動作を表すフローチャート
【図５】本発明の実施例１−２に記載の表示装置における入力訂正の説明図
【図６】本発明の実施例１−２に記載の表示装置における入力訂正の動作を表すフローチャート
【図７】本発明の実施例１−３に記載の表示装置における入力訂正の説明図
【図８】本発明の実施例１−３および２−２に記載の表示装置における入力訂正の動作を表すフローチャート
【図９】本発明の実施例２に記載の表示装置の概略図
【図１０】本発明の実施例２−１に記載の表示装置における入力訂正の説明図
【図１１】本発明の実施例２−１に記載の表示装置における入力訂正の変形例の説明図
【図１２】本発明の実施例２−２に記載の表示装置における入力訂正の説明図
【図１３】本発明の実施例２に記載の表示装置における入力訂正の変形例の説明図
【図１４】本発明の実施例２に記載の表示装置における入力訂正の変形例の説明図
【図１５】本発明の実施例２−３に記載の表示装置における入力訂正の説明図
【図１６】本発明の実施例３に記載の表示装置における入力訂正の説明図
【図１７】本発明の実施例３に記載の表示装置における入力訂正の動作を表すフローチャート
【図１８】本発明の実施例１から３に記載の表示装置における入力訂正の変形例の説明図
【発明を実施するための形態】
【実施例１】
【００２７】
図１は本発明を適用した表示装置１００の機能ブロック図である。表示装置１００の正面部には、表示手段と位置入力手段としてのタッチパネル１０５が備えられている。タッチパネル１０５への接触による入力は、タッチ検出部１１０によって検知され、メイン処理手段および入力訂正手段としての中央制御部１１５へと送られる。中央制御部１１５での処理の結果は、表示制御部１２０を通じてタッチパネル１０５に表示される。
【００２８】
図２は表示装置１００が英数字入力モードにあるときの概略図である。タッチパネル１０５の表示は、文字表示エリア２００とソフトキーボード２０５に分かれている。文字表示エリア２００には、入力の結果としての入力済み文字２１０および現在の入力位置を表すカーソル２１５が表示されている。ソフトキーボード２０５には、アルファベットを入力するアルファベットキー２２０（２２０ａ〜２２０ｚ、符号の末尾がキーのアルファベットと一致する）、カーソルの一つ前の文字を削除する削除キー２２５がある。なお、削除キー２２５は、タッチパネル１０５の表示領域の外周から、周囲にスライド動作を行うことができる程度に離れて設置されている。
【００２９】
また、以降の説明では使用しないが、その他に、大文字と小文字を切り替えるシフトキー２３０、数字・記号入力モードやかな入力モードに切り替える入力切り替えキー２３１、スペースを入力するスペースキー２３２、改行を行うエンターキー２３３もある。
【００３０】
この表示装置において、例えばアルファベットキー２２０ｔ、２２０ｅ、２２０ｓ、２２０ｔを順に押せば、これらの位置の入力の結果として、文字表示エリア２００に「ｔｅｓｔ」と入力済み文字２１０が表示される。
【００３１】
また、カーソルの移動は、移動させたい位置の入力済み文字２１０を押すことによって実現しても良いし、カーソルを移動するキーを別途設けるようにしても良い。
（実施例１−１）
次に、誤って所望のキーに隣接するキーを押してしまったとき、誤った文字を所望の文字に修正する方法を、図３の説明図および図４のフローチャートを用いて説明する。
【００３２】
図３（Ａ）は、「ｔｅｓｔ」と入力するつもりが、４文字目にアルファベットキー２２０ｔと間違えて隣接するアルファベットキー２２０ｒを押してしまった時の状態である。ここで、削除キー２２５が押さえられると（ステップＳ４０５）、図３（Ｂ）のように、削除キー２２５を中心にして訂正ルーペ３０５が表示され、さらに訂正ルーペ３０５の中心に灰色の円で表された訂正ポインタ３１０が表示される（ステップＳ４１０）。訂正ルーペ３０５の内側には削除キー２２５を中心にして、カーソル２１５の一つ前の文字（以降、「訂正対象文字３１５」とする）である「ｒ」を入力するためのアルファベットキー２２０ｒの周囲にあるアルファベットキー（２２０ｅ、２２０ｄ、２２０ｆ、２２０ｔ）に対応する訂正キー（３２０ｅ、３２０ｄ、３２０ｆ、３２０ｔ）が、アルファベットキー２２０ｒに対する位置関係と同様に表示される。具体的には、訂正ルーペ３０５の内側の、左側に訂正キー３２０ｅ、左下側に訂正キー３２０ｄ、右下側に訂正キー３２０ｆ、右側に訂正キー３２０ｔが表示される。
【００３３】
そして、図３（Ｃ）のように、押さえている指を訂正キー３２０ｔに向けてスライドさせると（ステップＳ４１５）、訂正ポインタ３１０もスライドの動きに応じて訂正キー３２０ｔの位置まで移動し、図３（Ｄ）のように、訂正対象文字３１５の「ｒ」が「ｔ」に置き換わり（ステップＳ４２０）、正しく「ｔｅｓｔ」と入力することができる。
【００３４】
なお、上記の説明はカーソル２１５が入力済みの文字列の最後にある場合について説明したが、カーソル２１５が文字列の途中にある場合は、その一つ前の文字が訂正対象文字３１５となる。したがって、たとえば三文字目の「ｓ」が訂正対象文字である場合は、訂正ルーペ３０５内の訂正キー３２０の文字は左から反時計回りに「ａ」「ｚ」「ｘ」「ｄ」「ｅ」「ｗ」となる。
【００３５】
また、ステップＳ４１５において、訂正ポインタ３１０が削除キー２２５上にあるときに指が離れれば（ステップＳ４３０）、訂正対象文字３１５を削除するのみで、代わりの文字は入力されない（ステップＳ４３５）。また、訂正ポインタ３１０が削除キー２２５や訂正キー３２０以外の場所にあるとき（指が訂正ルーペ３０５の外にあるとき）に指が離れた場合は（ステップＳ４４０）、訂正がキャンセルされ、削除も文字の入力も行わない（ステップＳ４４５）。
【００３６】
また、上記の説明では削除キー２２５を押さえることで、すなわち例えば０．５秒程度接触させ続けることで、訂正ルーペ３０５を出現させ訂正動作を行うようにしたが、訂正ルーペ３０５の出現を待たずに削除キー２２５を訂正したいキーの方向に素早くスライド（フリック）することで、素早く訂正を行えるようにしてもよい。
【００３７】
また、本実施例１−１では周囲のアルファベットキー２２０として、訂正対象文字３１５の文字のアルファベットキーに隣接する（一つ離れた位置にある）キーを挙げて説明したが、十分な表示領域がある場合は、二つ以上離れたアルファベット（訂正対象文字３１５が「ｒ」の場合は、「ｗ」「ｓ」「ｘ」「ｃ」「ｖ」「ｇ」「ｙ」）も周囲のアルファベットキーとして扱い、訂正ルーペ３０５内の、隣接する文字の訂正キー３２０よりも外側に、訂正キー３２０ｗ〜３２０ｙを表示してもよい。この場合、指を外側の訂正キー３２０ｗ〜３２０ｙまでスライドさせれば、その文字に訂正することができる。
【００３８】
また、ここでは訂正ルーペ３０５を、削除キー２２５を中心にして重なるように表示したが、表示が指で隠れてしまうのを防ぐため、削除キー２２５から離れた位置に表示するようにしても良い。この場合、削除キー２２５からの指の移動距離および移動方向が、訂正ポインタ３１０の移動距離および移動方向となる。
【００３９】
さらには、訂正によって新たに入力された文字を訂正対象文字として、再度訂正動作を行うこともできる。これにより、間違った文字に訂正してしまった場合や、二つ分以上離れた場所のキーを誤って押してしまったときに、順次訂正動作を行うことで所望の文字に訂正することができる。
（実施例１−２）
次に、上記実施例の別形態として、削除キー２２５を用いない方法について、図５の説明図および図６のフローチャートを用いて説明する。
【００４０】
図５（Ａ）は、図３（Ａ）と同じく、「ｔｅｓｔ」と入力するつもりが、４文字目にアルファベットキー２２０ｔと間違えて隣接するアルファベットキー２２０ｒを押してしまった時の状態である。このとき、他のキーを押す前に、訂正対象文字３１５である「ｒ」に対応するアルファベットキー２２０ｒを押さえられると（ステップＳ６０５）、図５（Ｂ）のように、その周囲のアルファベットキー（２２０ｅ、２２０ｄ、２２０ｆ、２２０ｔ）の色が変化する（ステップＳ６１０）。ここで、指をアルファベットキー２２０ｔに向けてスライドさせると（ステップＳ６１５）、図５（Ｃ）のように、訂正対象文字３１５の「ｒ」が「ｔ」に置き換わり（ステップＳ６２０）、正しく「ｔｅｓｔ」と入力することができる。
【００４１】
この方法によれば、指をわざわざ削除キー２２５の位置まで移動させる必要がないため、さらに素早く訂正動作を行うことができる。
【００４２】
また、ステップＳ６１５において、指をそのままアルファベットキー２２０ｒの上で離した場合は（ステップＳ６３０）、通常通り「ｒ」が続けて入力される（ステップＳ６４０）。また、指をアルファベットキー２２０以外のところ（例えば文字表示エリア２００）で離した場合は、（ステップＳ６４５）、入力も削除も行わない（ステップＳ６５０）。
【００４３】
なお、実施例１−１と同様に、周囲のアルファベットキーの色が変化するのを待たずにアルファベットキー２２０ｒを訂正したいキーの方向に素早くスライド（フリック）することで、素早く訂正動作を行えるようにしてもよい。
【００４４】
また、ステップＳ６１０で周囲のアルファベットキー２２０の色を変化させるのは、訂正を行える文字を分かりやすくするためであるので、他のキーと区別できるように模様や大きさを変化させるものであっても良いし、ユーザ設定等により変化させないようにできるようにしても良い。
【００４５】
また、本実施例１−２においては、訂正時に入力を行えるのは隣り合うキー（一つ離れたキー）であったが、二つ以上離れたキーも周囲のキーとして扱い、そのキーまでスライドさせることで、その文字に訂正できるようにしても良い。
【００４６】
また、周囲のアルファベットキー２２０の色を変化させる代わりに、実施例１−１のような訂正ルーペ３０５を、訂正したいアルファベットキー２２０の上や、離れた位置に表示するようにしても良い。この場合は、訂正したい文字のアルファベットキー２２０（上記の例では２２０ｒ）が実施例１−１の削除キー２２５に相当することとなるが、アルファベットキー２２０ｒ上で指を離したときに削除を行うのではなく、その文字（「ｒ」）を再入力するという点では実施例１−１と異なる。
【００４７】
また、カーソル２１５が文字列の最後ではなく文字列の途中にある場合に、カーソル２１５の一つ前の文字が訂正対象文字３１５となるのは実施例１−１と同様である。したがって、誤った入力を行った後に他のキーを押してしまった場合でも、誤った入力の結果の表示場所（すなわち上記の例においては文字表示エリア２００において「ｒ」が表示されているところ）のすぐ後にカーソル２１５があれば、アルファベットキー２２０ｒをスライドさせることで上記と同様の訂正を行うことができる。
（実施例１−３）
実施例１−１や１−２において、カーソル２１５の位置の一つ前以外の文字を訂正するためには、カーソル２１５を訂正したい文字の一つ後まで移動させた後に、スライド操作を行う必要がある。そこで次に、一つ前以外の文字を一度に修正する方法について、図７の説明図および図８のフローチャートを用いて説明する。
【００４８】
図７（Ａ）は、「ｔｅｓｔ」と入力するつもりが、２文字目にアルファベットキー２２０ｅと間違えて隣接するアルファベットキー２２０ｄを押してしまった時の状態である。
【００４９】
ここで、文字表示エリア２００に表示されている訂正したい入力済み文字２１０ｄを押さえると（ステップＳ８０５）、図７（Ｂ）のように、カーソル２１５が入力済み文字２１０ｄの直後に移動し、「ｄ」が訂正対象文字３１５となる。そして、訂正ルーペ３０５が周囲の文字列を隠さないように少し離れた位置に表示され、さらに訂正ルーペ３０５の中心に灰色の円で表された訂正ポインタ３１０が表示される（ステップＳ８１０）。
【００５０】
訂正ルーペ３０５の内側には、訂正対象文字３１５の「ｄ」を拡大した拡大訂正対象文字７１０ｄを中心にして、押さえられた文字に対応するアルファベットキー２２０ｄの周囲にあるアルファベットキー（２２０ｓ、２２０ｘ、２２０ｃ、２２０ｆ、２２０ｒ、２２０ｅ）に対応する訂正キー（３２０ｓ、３２０ｘ、３２０ｃ、３２０ｆ、３２０ｒ、３２０ｅ）が、アルファベットキー２２０ｄに対する位置関係と同様に表示される。具体的には、左側に訂正キー３２０ｓ、左下側に訂正キー３２０ｘ、右下側に訂正キー３２０ｃ、右側に訂正キー３２０ｆ、右上側に訂正キー３２０ｒ、左上側に訂正キー３２０ｅが、訂正ルーペ３０５の内側に表示される。
【００５１】
ここで、図７（Ｃ）のように、押さえている指を、訂正したい「ｅ」が表示されている左上側に一気に（例えば、０．５秒間に訂正ルーペ３０５の半径分以上だけ）スライドさせると、訂正ポインタ３１０もそれに応じて訂正キー３２０ｅの上に移動し（ステップＳ８１５）、図７（Ｄ）のように、入力済み文字２１０ｄの「ｄ」が「ｅ」に置き換わり（ステップＳ８２０）、正しく「ｔｅｓｔ」と入力することができる。この操作の後に、カーソル２１５はステップＳ８０５以前（図７（Ａ）の時点）の状態の位置に戻る。
【００５２】
一方、ステップＳ８１５において、押さえている指を少しずつ（例えば、０．５秒間に訂正ルーペ３０５の半径分未満だけ）移動させると（ステップＳ８２５）、その方向に隣接する入力済み文字２１０の直後にカーソルが移動する（本例においては、例えば左側に少しずつ移動させると、カーソル２１５が一文字目の入力済み文字２１０ｔの直後に移動する）。そして、その一つ前の文字である入力済み文字２１０ｔが訂正対象文字となり（ステップＳ８３０）、「ｔ」を中心とし、「ｒ」「ｆ」「ｇ」「ｙ」を訂正キー３２０とする訂正ルーペ３０５が表示される。したがって、指で押さえた場所が訂正したい入力済み文字からずれた場合でも、上記の操作により順次隣接する入力済み文字２１０を訂正対象文字３１５とすることができる。
【００５３】
また、指をスライドせず訂正ルーペ３０５の中心で離した場合は（ステップＳ８３５）、訂正ルーペ３０５が消去されるとともに、カーソル２１５がそのままの位置（本例では入力済み文字２１０ｄの直後）にとどまる（ステップＳ８４０）。
【００５４】
なお、本実施例１−３の方法はカーソル２１５の一つ前以外の文字を修正する場合に特に有効であるが、すでにカーソル２１５の直前にある文字を本方法で訂正することを妨げるものではない。
【００５５】
また、本実施例１−３では周囲のアルファベットキー２２０として、訂正対象文字３１５の文字のアルファベットキーに隣接する（一つ離れた位置にある）キーを挙げて説明したが、十分な表示領域がある場合は、二つ以上離れたアルファベット（訂正対象文字３１５が「ｄ」の場合は、「ｗ」「ａ」「ｚ」「ｖ」「ｇ」「ｔ」）も周囲のアルファベットキーとして扱い、訂正ルーペ３０５内の、隣接する文字の訂正キー３２０よりも外側に、訂正キー３２０ｗ〜３２０ｔを表示してもよい。この場合、指を外側の訂正キー３２０まで一気にスライドさせれば、その文字に訂正することができる。
【００５６】
以上のように、実施例１−１から１−３ではアルファベット入力の場合について説明したが、日本語をアルファベットによって入力するいわゆるローマ字入力モードに適用することもできる。この場合、例えば「てすと」と入力しようとして「ｔ・ｅ・ｓ・ｕ・ｔ・ｏ」とするところを誤って「ｔ・ｅ・ｓ・ｕ・ｔ・ｉ」と入力して「てすち」と表示されてしまった場合は、本実施例１−１から１−３のいずれかの方法によって「ｉ」を訂正対象文字３１５として、それをキーが隣接する「ｏ」に訂正することで、三文字目の「ち」が「と」に置き換わり、「てすと」と正しく入力することができる。同様に、「ｔ・ｅ・ｓ・ｕ・ｔ・ｐ」と入力して「てすｔｐ」と表示されてしまった場合は、「ｐ」を「ｏ」に訂正することによって「てすと」と正しく入力することができる。
【００５７】
また、上記のもの以外にも、例えば５０音を並べた仮名入力のようなものでも適用することが可能である。
【実施例２】
【００５８】
図９は表示装置１００が仮名入力モードにあるときの概略図である。タッチパネル１０５の表示は、文字表示エリア２００とソフトキーボード２０５に分かれている。文字表示エリア２００には、入力済み文字２１０、現在の入力位置を表すカーソル２１５、入力文字が未確定であることを表す未確定下線９０５が表示されている。ソフトキーボード２０５には、ひらがなを入力する仮名キー９１０（「あ」は９１０ａ、「か」は９１０ｋ、…、「わ」は９１０ｗ、のように、あ行以外は子音と符号のアルファベットが一致する）、濁点・半濁点を付けたり文字を小さくしたりする（例えば、「つ」を「づ」や「っ」にする）関連文字キー９１５、句読点を入力する句読点キー９２０、文字を一文字削除する削除キー９２５、文字変換を行う文字変換キー９３０がある。なお、削除キー９２５は、実施例１と同様に、タッチパネル１０５の表示領域の外周から、周囲にスライド動作を行うことができる程度に離れて設置されている。
【００５９】
また、以降の説明では使用しないが、その他に、ひとつ前の音に戻る（例えば「と」が入力されていた場合、押すたびに「て」「つ」「ち」「た」と変化する）バックキー９３５、カーソルを一文字分前に戻す左移動キー９３６、記号入力モードにする記号入力モードキー９３７、英数字入力モードにする英数字入力モードキー９３８、カーソルを一文字分先に進める右移動キー９３９、文字列の確定や改行を行うエンターキー９４０もある。
【００６０】
各仮名キー９１０ａ〜ｗには、左・上・右・下方向の順にそれぞれｉ音・ｕ音・ｅ音・ｏ音が割り当てられている。したがって、例えば文字表示エリア２００に「テスト」と入力したいときは、仮名キー９１０ｔを右側にスライド、９１０ｓを上側にスライド、９１０ｔを下側にスライドすることで、それぞれ「て」「す」「と」と入力した上で、文字変換キー９３０を押して出てくる変換候補の中から「テスト」を選択すれば良い。子音がa音の文字（あ、か、さ、た、…）を入力したいときは、スライドをせずにただ押せば良い。また、関連文字キー９１５や句読点キー９２０にも、各方向に各関連文字が割り当てられている。
【００６１】
なお、各仮名キー９１０を押さえることにより、図１０（Ａ）のような入力ルーペ１００５を出現させ、それを参考にスライド操作を行うこともできる。
（実施例２−１）
次に、誤って所望の文字と違う方向にスライドしてしまったときに、誤った文字を所望の文字に修正する方法について、図１０の説明図を用いて説明する。なお、本実施例２−１は、表示内容は実施例１−１と異なるものの、動作の流れは実施例１−１と同様であるため、フローチャートについては実施例１−１で説明に用いた図４を用いる。図４のフローチャート内の「訂正ルーペ」は「仮名訂正ルーペ」、「訂正キー」は「仮名訂正キー」と対応する。
【００６２】
図１０（Ａ）は、「てすと」と入力するつもりが、３文字目に仮名キー９１０ｔを下方向にスライドするのと間違えて右方向にスライドしてしまったために「と」の代わりに「て」が入力されてしまった時の状態である。ここで、削除キー９２５を押さえると（ステップＳ４０５）、図１０（Ｂ）のように、削除キー９２５を中心にして仮名訂正ルーペ１０１５が表示される（ステップＳ４１０）。仮名訂正ルーペ１０１５の内側には削除キー９２５を中心にして、訂正対象文字３１５（「て」）が属する仮名キー９１０ｔの行（た行）のうち、訂正対象文字３１５（「て」）を除く文字の仮名訂正キー１０２０（「た」は１０２０ｔａ、「ち」は１０２０ｔｉ、「つ」は１０２０ｔｕ、「と」は１０２０ｔｏ）が上下左右に表示され、さらに仮名訂正ルーペ１０１５の中心に訂正ポインタ３１０が表示される。
【００６３】
なお、仮名訂正キー１０２０の並び順は入力ルーペ１００５と異なり、入力ルーペ１００５内で訂正対象文字３１５（本例では「て」）があった場所に「あ列」の音（本例では「た」）が来るようになっている。すなわち、本例では、仮名訂正ルーペ１０１５の内側の、左側に仮名訂正キー１０２０ｔｉ、上側に仮名訂正キー１０２０ｔｕ、右側に仮名訂正キー１０２０ｔａ、下側に仮名訂正キー１０２０ｔｏが表示される。ただし、訂正対象文字３１５が「あ列」であった場合は、入力ルーペ１００５と仮名訂正ルーペ１０１５の文字の位置関係は同じとなる。
【００６４】
そして、図１０（Ｃ）のように、指を下側の仮名訂正キー１０２０ｔｏの上までスライドさせると（ステップＳ４１５）、訂正ポインタ３１０もスライドの動きに応じて仮名訂正キー１０２０ｔｏの上に移動し、図１０（Ｄ）のように、入力済み文字の「て」が「と」に置き換わり（ステップＳ４２０）、正しく「てすと」と入力することができる。
【００６５】
なお、上記の説明はカーソル２１５が入力済みの文字列の最後にある場合について説明したが、カーソル２１５が文字列の途中にある場合は、その直前の文字が訂正対象文字３１５となる。したがって、たとえば二文字目の「す」が訂正対象文字である場合は、仮名訂正ルーペ１０１５内の仮名訂正キー１０２０の文字は左から時計回りに「し」「さ」「せ」「そ」となる。
【００６６】
また、ステップＳ４１５において、訂正ポインタ３１０が削除キー９２５の上にあるときに指が離れれば（ステップＳ４３０）、訂正対象文字３１５を削除するのみで、代わりの文字は入力されない（ステップＳ４３５）。また、訂正ポインタ３１０が削除キー９２５や仮名訂正キー１０２０以外の場所にあるときに指が離れた場合は（ステップＳ４４０）、削除がキャンセルされ、削除も文字の入力も行わない（ステップＳ４４５）。
【００６７】
また、上記の説明では削除キー９２５を押さえることで、すなわち例えば０．５秒程度接触させ続けることで、仮名訂正ルーペ１０１５を出現させ訂正動作を行うようにしたが、仮名訂正ルーペ１０１５の出現を待たずに削除キー９２５を訂正したいキーの方向に素早くスライド（フリック）することで、素早く訂正を行えるようにしてもよい。
【００６８】
また、ここでは仮名訂正ルーペ１０１５を、削除キー９２５を中心にして重なるように表示したが、表示が指で隠れてしまうのを防ぐため、削除キー９２５から離れた位置に表示するようにしても良い。この場合、削除キー９２５からの指の移動距離および移動方向が、訂正ポインタ３１０の移動距離および移動方向となる。
【００６９】
さらには、訂正によって新たに入力された文字を訂正対象文字として、再度訂正動作を行うこともできる。これにより、間違った文字に訂正してしまった場合に、順次訂正動作を行うことで所望の文字に訂正することができる。
【００７０】
また、本実施例２−１においては、仮名キー９１０を押した直後に訂正する場合について説明したが、直前に押されたのが関連文字キー９１５であった場合は、例えば濁点の文字を半濁点の文字に訂正することができる。同様に、直前に押されたのが句読点キー９２０であった場合は、例えば読点を句点に訂正することが可能になる。
【００７１】
また、実施例２−１の変形例として、同じ行の文字だけでなく、隣接する行の文字への訂正を行う方法について説明する。
【００７２】
図１１（Ａ）のように、仮名訂正ルーペ１０１５に「た行」の４つの仮名訂正キー１０２０が上下左右ではなく斜め方向に配置されている。したがって、斜め方向に指をスライドさせるとその方向の文字へと訂正される。一方で、指を押さえたまま上下左右方向へ少しずつ移動させると、その方向に仮名キーが隣接する行へと仮名訂正ルーペ１０１５の中身を変更することができる。
【００７３】
例えば、図１１（Ｂ）のように指を上側へ少しずつ移動させると、図９において仮名キー９１０ｔ（た行）の上側にある仮名キー９１０ａ（あ行）の文字（あ、い、う、え、お）が、図１１（Ｃ）のように仮名訂正キー１０２０として仮名訂正ルーペ１０１５内に表示される。この仮名訂正キー１０２０の並び方は、図１１（Ｃ）ではａ音、ｉ音、ｕ音、ｅ音、ｏ音の順に、中心、左下、左上、右上、右下となっている。そして、図１１（Ｄ）のように、指を左上の「う」に向けてスライドさせると、「う」が訂正対象文字の代わりに入力される。
【００７４】
なお、上記の例では仮名訂正ルーペ１０１５内の仮名訂正キー１０２０を斜めに配置することについて説明したが、この場合においては、混同を避けるため、入力ルーペ１００５内の文字も斜めに配置することが望ましい。
（実施例２−２）
次に、上記実施例のさらなる応用として、カーソル２１５の一つ前以外の入力済み文字を一度に修正する方法について、図１２を用いて説明する。なお、本実施例２−２は、表示内容は実施例１−３と異なるものの、動作の流れは実施例１−３と同様であるため、フローチャートについては実施例１−３の説明に用いた図８を用いる。図８のフローチャート内の「訂正ルーペ」は「仮名訂正ルーペ」、「訂正キー」は「仮名訂正キー」と対応する。
【００７５】
図１２（Ａ）は、「てすと」と入力するつもりが、１文字目に仮名キー９１０ｔを右側にスライドするのと間違えて上方向にスライドしてしまったために「て」の代わりに「つ」が入力されてしまった時の状態である。ここで、文字表示エリア２００に表示されている入力済み文字２１０ｔｕ（「つ」）を押さえると（ステップＳ８０５）、図１２（Ｂ）のように、仮名訂正ルーペ１０１５が表示され、さらに仮名訂正ルーペ１０１５の中心に訂正ポインタ３１０が表示される（ステップＳ８１０）。
【００７６】
仮名訂正ルーペ１０１５の内側には訂正対象文字３１５の「つ」を拡大した拡大訂正対象文字１１０５ｔｕを中心にして、訂正対象文字３１５（「つ」）が属する行の仮名キー９１０ｔ（た行）に対応する仮名訂正キー（１０２０ｔａ、１０２０ｔｉ、１０２０ｔｅ、１０２０ｔｏ）が上下左右に表示される。なお、仮名訂正キー１０２０の並び順は実施例２−１と同様に、入力ルーペ１００５内で訂正対象文字（本例では「つ」）があった場所には「あ列」の音が来るようになっている。
【００７７】
ここで、図１２（Ｃ）のように、押さえていた指を訂正したい文字「て」のある右方向に一気に（例えば、０．５秒間に仮名訂正ルーペ１０１５の一辺の半分以上だけ）スライドさせると、訂正ポインタ３１０もそれに応じて仮名訂正キー１０２０ｔｅの上に移動し（ステップＳ８１５）、図１２（Ｄ）のように、訂正対象文字３１５の「つ」が「て」に置き換わり（ステップＳ８２０）、正しく「てすと」と入力することができる。
【００７８】
また、ステップＳ８１５において、押さえている指を少しずつ（例えば、０．５秒間に仮名訂正ルーペ１０１５の一辺の半分未満だけ）移動させると（ステップＳ８２５）、その方向に隣接する入力済み文字２１０の直後にカーソルが移動する（本例においては、右側に少しずつ移動させると、カーソル２１５が入力済み文字２１０ｓｕの直後に移動する）。そして、その一つ前の文字が訂正対象文字３１５となり（ステップＳ８３０）、新たな仮名訂正ルーペが表示される。したがって、指で押さえた場所が訂正したい文字からずれた場合でも、上記の操作により順次隣接する入力済み文字を訂正対象文字とすることができる。
【００７９】
また、指を仮名訂正ルーペ１０１５の中心で離した場合は（ステップＳ８３５）、仮名訂正ルーペ１０１５が消去されるとともに、カーソル２１５がそのままの位置（本例では入力済み文字２１０ｔｕの直後）にとどまる（ステップＳ８４０）。
【００８０】
なお、訂正対象文字３１５に関連文字（例えば「つ」なら、「づ」や「っ」）がある場合は、その関連文字を仮名訂正キー１０２０に追加しても良い。
【００８１】
また、分かりやすさを優先したいときは、本実施例２の仮名訂正ルーペ１０１５の代わりに、図１３（Ａ）および（Ｂ）のように仮名訂正キー１０２０を左から時計回りにａ、ｉ、ｕ、ｅ、ｏ音の順（ただし、拡大訂正対象文字１１０５を除く）としたものを用いても良い。
【００８２】
さらに別の方法として、図１４（Ａ）から（Ｄ）のように、仮名訂正キー１０２０を縦や横に並べたものを訂正ルーペとして用いても良い。この場合、スライドの距離の大きさに応じてどの仮名訂正キー１０２０を用いて訂正するかを決定しても良いし、一文字ずつのスライドを繰り返して訂正するようにしても良い。
【００８３】
また、本実施例２では仮名入力時のスライド入力について説明したが、英数字入力をスライドで行う場合でも同様の訂正を行うことができる。
【００８４】
また、本実施例２−１および２−２は、仮名キーを複数回押すことによって「た」「ち」「つ」…のように文字を変更していく入力方式においても適用することができる。この場合は、同じ行の文字への訂正を行うのではなく、仮名キー９１０が隣接する行の、同じ子音の文字（「と」であれば「お」「の」「も」）を仮名訂正ルーペ１０１５に表示するようにしても良い。
（実施例２−３）
次に、予測変換機能を用いた際の入力訂正について、図１５を用いて説明する。なお、予測変換に関わる部分以外については実施例２−１および２−２と同じ動作であるため、共通する部分については説明を省略する。
【００８５】
図１５（Ａ）は、「あか」と入力したときに、変換される可能性が高い文字列を予測して、変換候補キー１０５０の一覧が文字表示エリア２００の下部に表示されている状態である。ここで、「明るく」という変換候補キー１０５０ａと間違えて、隣接する「赤ちゃん」という変換候補キー１０５０ｂを押してしまうと、図１５（Ｂ）のように、「赤ちゃん」という文字列が入力される。
【００８６】
ここで、削除キー９２５を押さえると、図１５（Ｃ）のように変換候補訂正ルーペ１０５５が表示され、図１５（Ａ）において「赤ちゃん」という変換候補キー１０５０ｂの周囲にあった変換候補キー１０５０の文字列が上下左右の位置関係を同様に保ったまま、変換候補訂正ルーペ１０５５の中に表示される。
【００８７】
そして、指を左側にスライドさせることで、図１５（Ｄ）のように、入力済み文字２１０の「赤ちゃん」が、変換候補訂正ルーペ１０５５の左側にあった「明るく」という文字列に置き換わる。
【００８８】
なお、スライドさせずに削除キー９２５を押した場合は、カーソル２１５の直前の文字（ここでは「ん」）が削除されるが、これに限らず、予測変換により入力された文字列（ここでは「赤ちゃん」）を一度に削除するようにしても良い。
【実施例３】
【００８９】
図１６（Ａ）は表示装置１００がウェブ閲覧モードにあるときの概略図である。タッチパネル１０５の表示は、ウェブ画面エリア１２０５とツールボタンエリア１２１０に分かれている。ウェブ画面エリア１２０５には、押すことにより指定のウェブページへと移動することができるリンク１２１５（１２１５ａ〜１２１５ｍ、符号の末尾は上からアルファベット順）が表示されている。ツールボタンエリア１２１０には、一つ前に閲覧していたウェブページに戻る操作を行う戻るキー１２２０、各種のメニューを表示することのできるメニューキー１２２５、戻るキー１２２０で前のページに戻った際に、戻る前のページを再度表示する進むキー１２３０がある。
【００９０】
次に、誤って所望のリンクに隣接するリンクを押してしまったとき、誤ったリンク先のウェブページを所望のリンク先のウェブページに修正する方法について、図１６の説明図および図１７のフローチャートを用いて説明する。
【００９１】
図１６（Ａ）は、トップページ１２３５において、「ニュース」のリンク１２１５ｄを押すつもりが、間違えてその下の「天気」のリンク１２１５ｅを押してしまった時の状態である。リンク１２１５ｅが押されると、選択されたことを表す点線の枠がその周りに表示され、その後図１６（Ｂ）のようにリンク先の天気ページ１２３６へと移動する。
【００９２】
ここで、図１６（Ｃ）のように、戻るキー１２２０を押さえると（ステップＳ１３０５）、リンク訂正ルーペ１２４０が表示される（ステップＳ１３１０）。リンク訂正ルーペ１２４０の内側には、一つ前のページであるトップページ１２３５の中の、リンク１２１５ｅの周囲部分が再現される。具体的には、天気ページ１２３６につながる訂正リンク１２１５ｅの上部に、ニュースページ１２３７につながる訂正リンク１２１５ｄが表示される。さらに、訂正リンク１２１５ｅに重なるように訂正ポインタ３１０が表示される。
【００９３】
ここで、図１６（Ｄ）のように、指を上側に向けてスライドさせると（ステップＳ１３１５）、それに応じて訂正ポインタ３１０も上に移動し、選択されたことを表す点線の枠が訂正リンク１２１５ｄの周りに表示され、図１６（Ｅ）のように、天気ページ１２３６からニュースページ１２３７へと一気に移動することができる（ステップＳ１３２０）。
【００９４】
また、ステップＳ１３１５において、スライドされずに指が離れれば（ステップＳ１３３０）、通常通り直前のトップページ１２３５に戻る（ステップＳ１３３５）。また、訂正ポインタ３１０が訂正リンク１２１５以外の場所にあるときに指が離れた場合は（ステップＳ１３４０）、戻る機能がキャンセルされそのまま天気ページ１２３６にとどまる（ステップＳ１３４５）。
【００９５】
ところで、ステップＳ１３１５において、リンク訂正ルーペ１２４０内にひとつ前のページの一部を表示するためには、前ページの情報を保持し再表示する必要があるが、処理速度の問題などでこれを行うことが難しい場合は、ページ構造を表すデータ（ＨＴＭＬ、ＣＳＳなど）のみを保持し、そこから周囲のリンクの位置を推測して表示するようにしても良い。
【００９６】
なお、本実施例では戻るキー１２２０を押さえた後でスライドさせることによって訂正する方法を説明したが、戻るキー１２２０を訂正したいリンクの方向に素早くスライドすることによって、リンク訂正ルーペ１２４０の出現を待たずに訂正操作を行うようにしても良い。
【００９７】
また、誤って押してしまったことに気づいたのが、その移動先のページが表示される前であった場合は、実施例１−２と同様に、誤って押したリンクの場所付近を再度押さえることによってその周囲にリンク訂正ルーペ１２４０を表示してスライドによる訂正操作を行えるようにしたり、誤って押した場所付近をフリックしたりすることにより、上記の訂正動作を行えるようにしても良い。
【００９８】
また、リンク訂正ルーペ１２４０の出現後、押さえていた指を二つ以上離れたリンク（上記の例で言うと、「旅行」のリンク１２１５ｃなど）までスライドさせることで、旅行のページに進むようにしても良い。
【００９９】
また、本実施例では隣接するリンクを誤って選択した際の訂正動作について説明したが、例えば天気ページ１２３６を見た後に続けてニュースページ１２３７を見たい場合のように、誤操作によらない場合でも、ページ閲覧に要する時間を短縮することができる。この場合も、現在のページが不要になり新たなページを要求するという意味で、「取り消し」や「訂正」といった概念に含まれるものとする。
【０１００】
さらには、ウェブブラウザにおける入力訂正に限らず、削除するためのキーや前画面に戻るためのキーを有するシステムであれば、キーやアイコンが並べられているような各種のソフトウェアの操作にも適用することができる。
【０１０１】
以上のように、実施例１から３においては、タッチ操作による誤操作訂正について説明したが、位置入力のずれを素早く訂正するものであれば、適用範囲は本実施例に限らない。例えば、マウスによってボタンをクリックして入力を行う場合においても、本実施例のスライド動作を例えば右クリックを押しながらのドラッグ動作に置き換えることで同様の訂正を行うことができる。他にも、本体の向きや動きを読み取って移動を行い、ボタンで決定動作を行うポインティング機器の場合においても、本実施例のスライド動作を、例えばボタンを押さえたまま本体を動かす動作に置き換えることで同様の訂正を行うことができる。
【０１０２】
また、タッチのスライドで方向を指定する代わりに、動き検出手段としての加速度センサなどを備え、表示装置を上下左右に傾けることによってその方向への訂正をするようにしても良い。具体的には、図１８のように、表示装置全体を右側に傾けて戻すことで、「ｒ」をその右側にある「ｔ」に訂正することができる。この場合、小さい端末を指で押さえることなく、大きな操作で訂正を行えるという利点がある。
【０１０３】
また、二次元的な入力・訂正だけでなく、奥行きを含めて三次元的な入力・訂正を行えるようにしても良い。その際、三次元空間における「スライド操作」は、例えば三次元的な入力を認識できるマウスを右クリックしながら持ち上げる、といった動作としてもよい。
【０１０４】
その他にも、ユーザの顔を撮影・認識するカメラシステムを備え、ユーザが顔を振ることによってその方向への訂正をするようにしても良い。この場合も、小さい端末を指で押さえることなく訂正が行える。すなわち本発明は、方向を入力する手段を備えていれば、上記の実施例に限らず適用することが可能である。
【０１０５】
また、空間上の位置の入力に限らず、音声による入力などにおいても、例えば音の高さを楽譜上の位置の入力とすることで本発明を適用することができる。具体例としては、あるメロディを歌って入力する際に、一つの音が高い方にずれてしまったときには、すぐに低い音で「訂正」と話すことによって一音分低い音に訂正する、といったことなどが考えられる。
【産業上の利用可能性】
【０１０６】
本発明によれば、誤った入力を行ってしまったときに素早く簡単に所望の入力へと訂正することが可能な表示装置を提供することができる。
【符号の説明】
【０１０７】
１００  表示装置
１０５  タッチパネル（位置入力手段）
１１０  タッチ検出部
１１５  中央制御部（入力訂正手段）
１２０  表示制御部
２００  文字表示エリア
２０５  ソフトキーボード
２１０（２１０ｄ、２１０ｔ、２１０ｔｕ、２１０ｓｕ）  入力済み文字
２１５  カーソル
２２０（２２０ａ〜２２０ｚ）  アルファベットキー
２２５  削除キー
３０５  訂正ルーペ
３１０  訂正ポインタ
３１５  訂正対象文字
３２０  訂正キー
７１０（７１０ｄ）  拡大訂正対象文字
９０５  未確定下線
９１０（９１０ａ〜９１０ｗ）仮名キー
９１５  関連文字キー
９２０  句読点キー
９２５  削除キー
９３０  文字変換キー
９３５  バックキー
１００５  入力ルーペ
１０１５  仮名訂正ルーペ
１０２０  仮名訂正キー
１０５０（１０５０ａ、１０５０ｂ）  変換候補キー
１０５５  変換候補訂正ルーペ
１１０５（１１０５ｔｕ）  拡大訂正対象文字
１２０５  ウェブ画面エリア
１２１０  ツールボタンエリア
１２１５（１２１５ａ〜１２１５ｍ）  リンク
１２２０  戻るキー
１２２５  メニューキー
１２３０  進むキー
１２３５  トップページ
１２３６  天気ページ
１２３７  ニュースページ
１２４０  リンク訂正ルーペ
【図１】
2012243229.tif 000003
【図２】
2012243229.tif 000004
【図３】
2012243229.tif 000005
【図４】
2012243229.tif 000006
【図５】
2012243229.tif 000007
【図６】
2012243229.tif 000008
【図７】
2012243229.tif 000009
【図８】
2012243229.tif 000010
【図９】
2012243229.tif 000011
【図１０】
2012243229.tif 000012
【図１１】
2012243229.tif 000013
【図１２】
2012243229.tif 000014
【図１３】
2012243229.tif 000015
【図１４】
2012243229.tif 000016
【図１５】
2012243229.tif 000017
【図１６】
2012243229.tif 000018
【図１７】
2012243229.tif 000019
【図１８】
2012243229.tif 000020